(57)【要約】      （修正有）【課題】パネル部材側から見て段差がなく、柱部材に対する取り付け強度が高い前面パネル部材の取り付け構造を提供する。【解決手段】筐体の前面パネル部材の取り付け構造であって、キュービクル式高圧受電設備などの筐体を構成する柱部材に取り付けられ、該筐体の前面パネルを形成する取り付け構造であって、前記柱部材に平行に配置された縦取り付け用部材２と、該縦取り付け用部材２に直交して配置され、前記柱部材と縦取り付け用部材２の間に敷設される横渡し金具３と、前面パネル部材とからなり、横渡し金具３及び前面パネル部材は側面視コ字形状に形成され、縦取り付け用部材２の前記柱部材取り付け側に取り付けられ、前記柱部材に一体に敷設される。【選択図】図１
0003153714.tif 000002
【実用新案登録請求の範囲】
【請求項１】
キュービクル式高圧受電設備などの筐体を構成する柱部材に取り付けられ、該筐体の前面パネルの取り付け構造であって、前記柱部材に平行に配置された縦取り付け用部材と、該縦取り付け用部材に直交して配置され、前記柱部材と前記縦取り付け用部材の間に敷設される横渡し金具と、前面パネル部材とからなり、該横渡し金具及び前面パネル部材は側面視コ字形状に形成され、前記縦取り付け用部材の前記柱部材取り付け側に取り付けられ、前記柱部材に一体に敷設されることを特徴とする取り付け構造。
【考案の詳細な説明】
【技術分野】
【０００１】
本考案は、筐体の取り付け構造であって、とくにキュービクル式高圧受電設備などの筐体を構成する柱部材に取り付ける前面パネル部材の取り付け構造に関するものである。
【背景技術】
【０００２】
従来よりキュービクル式高圧受電設備には、箱状のキュービクル筐体内に、変圧器、高圧負荷開閉器などの配電設備が設置されており、この筐体は、柱部材と横取り付け部材によって一体に形成され、また一端側にはプラスチックや金属製の板からなる前面パネル等が設置されている。
【０００３】
この前面パネルは、筐体を構成する柱部材の横方向にボルトを介して取り付けられる横取り付けパネルと、柱部材に直交して取り付けられる横取り付け渡し金具に着脱可能に取り付けられる安全パネルとがあり、前記柱部材同士の間隔調整用の縦取り付け部材が必要に合わせて使用されている。
【０００４】
図３乃至図５は、従来のキュービクル式高圧受電設備などの筐体における前面パネルの取り付け構造を示している。図に示すように、柱部材１、１の前面には長手方向に平行して縦取り付け部材２が夫々ボルト（図示せず）によって取り付けられており、この縦取り付け部材２に横取り付け部材３、横取り付けパネル４が夫々取り付けられている。また、横取り付け部材３及び横取り付けパネル４の両端部には夫々切欠き部３ａ、４ａが形成され、前記縦取り付け部材２には、横取り付け部材３及び横取り付けパネル４の両端部３ｂ、４ｂが接続している。そして、横取り付け部材３には安全パネル５が着脱可能に取り付けられている。
【０００５】
この構成からなる従来の取り付け構造では、柱部材１の上に、縦取り付け部材２、横取り付け部材３、横取り付けパネル４、安全パネル５とが段差を形成しながら取り付けられており、見た目にも統一性に欠けるものであった。
【０００６】
本考案者は、先の出願において上記の安全パネル部材の取り外し作業が容易な取り付け構造を発案し、筐体に対して誰でも簡単にパネルの取り付け作業ができる構造を提案している（特許文献１参照。）。
【０００７】
しかし、この取り付け構造であっても安全パネル部材と上記の横渡し金具はいずれも、縦取り付け部材を介して上記の柱部材に取り付けられており、パネル部材側から見て段差が形成され、しかも、横渡し金具と横取り付け部材の両端には切欠き部が必要となるため、強度不足となると共に、材料に無駄が生じるという問題があった。
【先行技術文献】
【特許文献】
【０００８】
【特許文献１】実願２００８−００６６８４号公報
【考案の概要】
【考案が解決しようとする課題】
【０００９】
上記の問題点に鑑み本考案者は、パネル部材側から見て段差がなく、柱部材に対する取り付け強度が高い前面パネル部材の取り付け構造を提供するに至った。
【課題を解決するための手段】
【００１０】
このため、本考案の前面パネル部材の取り付け構造は、キュービクル式高圧受電設備などの筐体を構成する柱部材に取り付けられ、該筐体の前面パネル部材の取り付け構造であって、前記柱部材に平行に配置された縦取り付け用部材と、該縦取り付け用部材に直交して配置され、前記柱部材と前記縦取り付け用部材の間に敷設される横渡し金具と、前面パネル部材とからなり、該横取り付け部材及び前面パネル部材は側面視コ字形状に形成され、前記縦取り付け用部材の前記柱部材取り付け側に取り付けられ、前記柱部材に一体に敷設されることを特徴とする。
【考案の効果】
【００１１】
本考案に係る取り付け構造によれば、側面視コ字形状に形成された横渡し金具及び前面パネル部材が、柱部材に平行に配置された縦取り付け用部材と直交して配置され、且つ縦取り付け用部材の前記柱部材取り付け側に取り付けられ、柱部材に一体に敷設されているため、前面パネル部材側から見て段差がないという効果を有する。
【００１２】
しかも、横渡し金具及び前面パネル部材が側面視コ字形状に形成されており、柱部材に対する取り付け強度に優れるという効果を有する。
【図面の簡単な説明】
【００１３】
【図１】本考案に係る前面パネル部材の取り付け構造の一実施例を示す組立て説明図である。
【図２】図１の部分拡大説明図である。
【図３】従来の前面パネル部材の取り付け構造を示す正面説明図である。
【図４】図３の組立て説明図である。
【図５】図３の部分拡大説明図である。
【考案を実施するための形態】
【００１４】
以下、本考案を実施例を示す図面を参照しながら説明するが、本考案が本実施例に限定されないことは言うまでもない。図１は、本考案の前面パネル部材の取り付け構造一実施例を示す組立て説明図、図２は図１の部分拡大説明図、図３は従来の前面パネル部材の取り付け構造を示す正面説明図、図４は図３の組立て説明図、図５は図３の部分拡大説明図である。
【実施例】
【００１５】
図１、図２に示すように、本考案の取り付け構造は、柱部材１、１の前面には長手方向に平行して縦取り付け部材２が夫々ボルト（図示せず）によって取り付けられており、この縦取り付け部材２の裏面に横渡し金具３、横取り付けパネル４が夫々取り付けられている。そして、安全パネル５が夫々横取り付け部材３に着脱可能に取り付けられている。
【００１６】
横渡し金具３及び横取り付けパネル４は、夫々平板の鋼材からなり、側面視コ字形状に形成されており、切欠き部を形成せずに、縦取り付け部材３に取り付けられる。
【００１７】
安全パネル５は、上述した従来の取り付け構造と同様に、横渡し金具３に着脱可能に取り付けられる。
【００１８】
上記の構成による取り付け構造によれば、縦取り付け部材の裏面側から、横渡し金具と横取り付けパネルが夫々取り付けられ、柱部材に一体に取り付けられるため、前面パネル部材側から見て段差がなく、しかも横渡し金具及び前面パネル部材が側面視コ字形状に形成され、且つ両端に切り欠き部が無いため、柱部材に対する取付け強度が高い。
【００１９】
以上の構成からなる、本考案の取り付け構造は、前面パネル部材側から見て段差がなく、柱部材に対する取り付け強度に優れ、さらに材料に無駄が生じることがない。
【符号の説明】
【００２０】
１              柱部材
２              縦取り付け部材
３              横渡し金具
４              横取り付けパネル
５              安全パネル
【図１】
0003153714.tif 000003
【図２】
0003153714.tif 000004
【図３】
0003153714.tif 000005
【図４】
0003153714.tif 000006
【図５】
0003153714.tif 000007